(57)【要約】  本開示の実施形態は、複数のビームのカバレッジ下で端末デバイスによる無線リンク品質監視の効率的な解決策を提案する。詳細には、複数のビームのカバレッジ下で端末デバイスにおいて無線リンク品質を監視するための方法が提供される。複数のビームは少なくとも１つの基地局から発信される。方法は、端末デバイスに関連付けられているビームの各々について無線リンク品質を、そのビームに固有の参照信号に基づいて判定することと、次いで判定された無線リンク品質に基づいて、端末デバイスに方向付けられている無線リンクの無線リンク品質を決定することとを備える。また、複数のビームのカバレッジ下で端末デバイスの無線リンク品質監視を容易にするための基地局における方法も提供される。複数のビームは、少なくとも基地局から発信される。方法は、複数のビームと端末デバイスとの間のアソシエーションを設定することと、次いで設定されたアソシエーションを端末デバイスに通知することとを備える。対応する装置が、さらに提供される。【選択図】図３
2018518091.tif 000002
【特許請求の範囲】
【請求項１】
少なくとも１つの基地局からの複数のビームのカバレッジ下で端末デバイスにおいて無線リンク品質を監視するための方法（３００）であって、
前記複数のビームの中で前記端末デバイスに関連付けられている各々のビームについて無線リンク品質を、そのビームに固有の参照信号に基づいて判定すること（３１０）と、
前記判定された無線リンク品質に基づいて、前記端末デバイスに方向付けられている無線リンクの前記無線リンク品質を決定すること（３２０）と
を備える、方法。
【請求項２】
前記判定された無線リンク品質に基づいて前記無線リンクの前記無線リンク品質を前記決定すること（３２０）は、
前記関連付けられているビームの各々について前記無線リンク品質が障害と判定されるか、または前記関連付けられているビームから選択された１つまたは複数のビームについて前記無線リンク品質が障害と判定される（３２１）場合に、前記無線リンクの前記無線リンク品質を障害と決定すること（３２２）
を備える、請求項１に記載の方法。
【請求項３】
前記関連付けられているビームの各々について前記無線リンク品質を前記判定すること（３１０）は、
そのビームに固有の前記参照信号の測定に基づいて第１のパフォーマンスパラメータの値を推定すること（３１１）と、
前記第１のパフォーマンスパラメータの前記推定された値が第１のしきい値よりも大きい場合（３１２）、第１の指示を生成すること（３１４）と、
そのビームに固有の前記参照信号の測定に基づいて第２のパフォーマンスパラメータの値を推定すること（３１１）と、
前記第２のパフォーマンスパラメータの前記推定された値が第２のしきい値よりも小さい場合（３１３）、第２の指示を生成すること（３１５）と、
前記第１の指示および前記第２の指示に基づいてそのビームの前記無線リンク品質を判定すること（３１６−３１９）と
を備える、請求項１または２に記載の方法。
【請求項４】
前記第１のパフォーマンスパラメータおよび前記第２のパフォーマンスパラメータは、ブロックエラー率である、請求項３に記載の方法。
【請求項５】
少なくとも基地局からの複数のビームのカバレッジ下で端末デバイスの無線リンク品質監視を容易にするための前記基地局における方法（５００）であって、
前記複数のビームと前記端末デバイスとの間のアソシエーションを設定すること（５１０）と、
前記設定されたアソシエーションを前記端末デバイスに通知すること（５２０）と
を備える、方法。
【請求項６】
前記設定されたアソシエーションは、
前記複数のビームのすべて、または
前記複数のビームの中の、各々あらかじめ定められたチャネル品質しきい値よりも高いチャネル品質を有する、１つもしくは複数のビーム
のいずれかを前記端末デバイスに関連付ける、請求項５に記載の方法。
【請求項７】
前記複数のビームは、前記基地局および少なくとも１つのその他の基地局からのものであり、
前記設定されたアソシエーションは、前記基地局からのビームの第１のサブセットおよび前記少なくとも１つのその他の基地局からのビームの第２のサブセットを、前記端末デバイスに関連付ける、請求項５に記載の方法。
【請求項８】
前記第１のサブセットは、各々第１のあらかじめ定められたチャネル品質しきい値よりも高いチャネル品質を有する前記基地局からの１つまたは複数のビームを備え、
前記第２のサブセットは、各々第２のあらかじめ定められたチャネル品質しきい値よりも高いチャネル品質を有する前記少なくとも１つのその他の基地局からの１つまたは複数のビームを備える、請求項７に記載の方法。
【請求項９】
少なくとも１つの基地局からの複数のビームのカバレッジ下で端末デバイスにおいて無線リンク品質を監視するための装置（６００）であって、
前記複数のビームの中で前記端末デバイスに関連付けられているビームの各々について無線リンク品質を、そのビームに固有の参照信号に基づいて判定するように設定された判定ユニット（６１０）と、
前記判定された無線リンク品質に基づいて、前記端末デバイスに方向付けられている無線リンクの前記無線リンク品質を決定するように設定された決定ユニット（６２０）と
を備える、装置。
【請求項１０】
前記決定ユニット（６２０）は、
前記関連付けられているビームの各々について前記無線リンク品質が障害と判定されるか、または前記関連付けられているビームから選択された１つまたは複数のビームの前記無線リンク品質が障害と判定される場合に、前記無線リンクの前記無線リンク品質を障害と決定する
ように設定される、請求項９に記載の装置。
【請求項１１】
前記判定ユニット（６１０）は、前記関連付けられているビームの各々について、
そのビームに固有の前記参照信号の測定に基づいて第１のパフォーマンスパラメータの値を推定し、
前記第１のパフォーマンスパラメータの前記推定された値が第１のしきい値よりも大きい場合、第１の指示を生成し、
そのビームに固有の前記参照信号の測定に基づいて第２のパフォーマンスパラメータの値を推定し、
前記第２のパフォーマンスパラメータの前記推定された値が第２のしきい値よりも小さい場合、第２の指示を生成し、
前記第１の指示および前記第２の指示に基づいてそのビームの前記無線リンク品質を判定する
ように設定される、請求項９または１０に記載の装置。
【請求項１２】
前記第１のパフォーマンスパラメータおよび前記第２のパフォーマンスパラメータは、ブロックエラー率である、請求項１１に記載の装置。
【請求項１３】
少なくとも１つの基地局からの複数のビームのカバレッジ下で端末デバイスの無線リンク品質監視を容易にするための装置（７００）であって、
前記複数のビームと前記端末デバイスとの間のアソシエーションを設定するように設定されたアソシエーション設定ユニット（７１０）と、
前記設定されたアソシエーションを前記端末デバイスに通知するように設定された通知ユニット（７２０）と
を備える、装置。
【請求項１４】
前記設定されたアソシエーションは、
前記複数のビームのすべて、または
前記複数のビームの中の、各々あらかじめ定められたチャネル品質しきい値よりも高いチャネル品質を有する、１つもしくは複数のビーム
のいずれかを前記端末デバイスに関連付ける、請求項１３に記載の装置。
【請求項１５】
前記複数のビームは、前記基地局および少なくとも１つのその他の基地局からのものであり、
前記設定されたアソシエーションは、前記基地局からのビームの第１のサブセットおよび前記少なくとも１つのその他の基地局からのビームの第２のサブセットを前記端末デバイスに関連付ける、請求項１３に記載の装置。
【請求項１６】
前記第１のサブセットは、各々第１のあらかじめ定められたチャネル品質しきい値よりも高いチャネル品質を有する前記基地局からの１つまたは複数のビームを備え、
前記第２のサブセットは、各々第２のあらかじめ定められたチャネル品質しきい値よりも高いチャネル品質を有する前記少なくとも１つのその他の基地局からの１つまたは複数のビームを備える、請求項１５に記載の装置。
【請求項１７】
少なくとも１つの基地局からの複数のビームのカバレッジ下で端末デバイスにおいて無線リンク品質を監視するための装置（８００）であって、プロセッサ（８１０）およびメモリ（８２０）を備え、前記メモリは前記プロセッサによって実行可能な命令を含み、それにより前記装置は請求項１から４のいずれか一項に記載の方法を実行するように動作可能である、装置。
【発明の詳細な説明】
【技術分野】
【０００１】
本開示の非限定的および例示的な実施形態は概してワイヤレス通信に関し、具体的には、複数のビームのカバレッジ下で端末デバイスにおいて無線リンク品質を監視するための方法、装置、およびコンピュータプログラム、ならびに複数のビームのカバレッジ下の端末デバイスの無線リンク品質監視を容易にするための方法、装置、およびコンピュータプログラムに関する。
【背景技術】
【０００２】
このセクションでは、本開示のより深い理解を容易にし得る態様を紹介する。したがって、このセクションの記述は、この観点から読まれるべきであり、従来技術にあるもの、または従来技術にはないものに関する是認として理解されるべきではない。
【０００３】
第３世代パートナーシッププロジェクト（３ＧＰＰ）のＬｏｎｇ  Ｔｅｒｍ  Ｅｖｏｌｕｔｉｏｎ（ＬＴＥ）ネットワークにおいて、ユーザ機器（ＵＥ）は、サービングセルのパフォーマンスを監視するために、そのサービングセル（プライマリセル（ＰＣｅｌｌ）としても知られる）の測定を実行する必要がある。これは、ＬＴＥの無線リンク監視（ＲＬＭ）またはＲＬＭ関連の測定と称され、サービングセルのダウンリンク無線リンク品質は、上位レイヤへの同期外れ（ＯＯＳ）ステータスおよび／または同期（ＩＳ）ステータスを指示する目的でセル固有参照信号に基づいて監視される。
【０００４】
ＯＯＳおよびＩＳステータスを指示するため、３ＧＰＰ規格、すなわち３ＧＰＰ  ＴＳ３６．１３３  Ｖ１２．５．０によれば、ＵＥは、ダウンリンク無線リンク品質を推定し、推定した品質をしきい値ＱｏｕｔまたはＱｉｎと比較するものとする。しきい値Ｑｏｕｔは、ダウンリンク無線リンクが確実に受信され得ないレベルとして規定され、３ＧＰＰ  ＴＳ３６．１３３  Ｖ１２．５．０の表７．６．１−１に指定されている送信パラメータとの物理制御フォーマットインジケータチャネル（ＰＣＦＩＣＨ）エラーを考慮に入れて仮定的物理ダウンリンク制御チャネル（ＰＤＣＣＨ）送信の１０％ブロックエラー率（ＢＬＥＲ）に相当するものとする。評価期間にわたり推定されたＢＬＥＲがＱｏｕｔよりも大きい場合、ＯＯＳ指示が生成される。しきい値Ｑｉｎは、ダウンリンク無線リンク品質がＱｏｕｔにおけるよりも著しく確実に受信され得るレベルとして規定され、３ＧＰＰ  ＴＳ３６．１３３  Ｖ１２．５．０の表７．６．１−２に指定されている送信パラメータとのＰＣＦＩＣＨエラーを考慮に入れて仮定的ＰＤＣＣＨ送信の２％ＢＬＥＲに相当するものとする。評価期間にわたり推定されたＢＬＥＲがＱｉｎよりも小さい場合、ＩＳ指示が生成される。簡潔にするために、表７．６．１−１および表７．６．１−２は、本明細書において提示されない。ＵＥは、特定数よりも少ない連続したＩＳ指示が、あらかじめ定められた時間期間内に検出される場合に、無線リンク障害（ＲＬＦ）を宣言することができる。この時間期間は、特定数の連続するＯＯＳ指示の検出後に開始される。
【０００５】
たとえば３ＧＰＰ  ＴＳ３６．２１３  Ｖ１１．７．０のような、３ＧＰＰ規格によれば、非間欠受信（ＤＲＸ）操作において、ＯＯＳおよびＩＳのダウンリンクリンク品質は、たとえばそれぞれ２００ｍｓおよび１００ｍｓのように、３ＧＰＰ  ＴＳ３６．１３３  Ｖ１２．５．０で指定されている評価期間にわたり推定される。ＤＲＸモード操作において、ＯＳＳおよびＩＳのダウンリンクリンク品質は、３ＧＰＰ  ＴＳ３６．１３３  Ｖ１２．５．０で指定されている同じ評価期間にわたり推定され、これはＤＲＸサイクルで調整されてもよい。推定された無線リンク品質は、物理レイヤだけではなく、一部の設定済みパラメータに基づいて評価期間に上位レイヤでもフィルタリングされてもよい。これにより、無線リンク障害（ＲＬＦ）検出の信頼性が高まり、したがって不必要な無線リンク障害および続く無線リソース制御（ＲＲＣ）再確立を回避する。
【０００６】
複数のアンテナを伴う先進技術は、既存のワイヤレス通信システムに対して提案されてきたが、これはビームフォーミングによりカバレッジを改善して、空間多重化により全体的なシステム容量を大幅に増加させることができる。狭いビームを形成するために複数のアンテナ要素が使用されるビームフォーミングは、データ速度と容量を共に改善するための効率的な手段であり、複数のデータストリームを同時に１つまたは複数の端末に提供するために伝搬属性が活用される空間多重化は、マルチアンテナ技術のもう１つの重要な技法である。
【０００７】
ワイヤレス通信技術のさらなる発展に伴って、ＵＥにサーブするマッシブビームを伴う通信ネットワークが出現してもよい。そのようなネットワークにおいては、より多くのビームが関与しているので、無線リンク品質を監視するための既存の解決策がもはや適用可能ではなくなる場合もある。
【発明の概要】
【０００８】
本開示のさまざまな実施形態は、主として、複数のビームのカバレッジ下で端末デバイスによる無線リンク品質監視のための効率的な解決策を提供することに向けられている。本開示の実施形態のその他の特徴および利点はまた、本開示の実施形態の原理を例示により説明する添付の図面と併せて読むことで、固有の実施形態の以下の説明から理解されるであろう。
【０００９】
本開示の第１の態様において、端末デバイスにおいて無線リンク品質を監視するための方法が提供される。端末デバイスは、少なくとも１つの基地局からの複数のビームのカバレッジ下にある。方法は、複数のビームの中で端末デバイスに関連付けられているビームの各々について無線リンク品質を、そのビームに固有の参照信号に基づいて、判定することを備える。方法はまた、判定された無線リンク品質に基づいて、端末デバイスに方向付けられた無線リンクの無線リンク品質を決定することを含む。
【００１０】
実施形態において、無線リンクの無線リンク品質は、関連付けられているビームの各々について無線リンク品質が障害と判定されるか、または関連付けられているビームから選択された１つもしくは複数のビームについて無線リンク品質が障害と判定される場合に、障害として決定されてもよい。
【００１１】
もう１つの実施形態において、関連付けられているビームの各々について無線リンク品質は、そのビームに固有の参照信号の測定に基づいて第１のパフォーマンスパラメータの値を推定することと、第１のパフォーマンスパラメータの推定された値が第１のしきい値よりも大きい場合、第１の指示を生成することと、そのビームに固有の参照信号の測定に基づいて第２のパフォーマンスパラメータの値を推定することと、第２のパフォーマンスパラメータの推定された値が第２のしきい値よりも小さい場合、第２の指示を生成することと、第１の指示および第２の指示に基づいてそのビームの無線リンク品質を判定することと、という操作によって判定されてもよい。
【００１２】
さらなる実施形態において、第１のパフォーマンスパラメータおよび第２のパフォーマンスパラメータは、ブロックエラー率であってもよい。
【００１３】
本開示の第２の態様において、端末デバイスの無線リンク品質監視を容易にするための方法が提供される。方法は、基地局において実行され、端末デバイスは、少なくとも基地局からの複数のビームのカバレッジ下にある。方法は、複数のビームと端末デバイスとの間のアソシエーションを設定し、次いで設定されたアソシエーションを端末デバイスに通知することを備える。
【００１４】
実施形態において、設定されたアソシエーションは、複数のビームのすべて、または複数のビームの中の、各々あらかじめ定められたチャネル品質しきい値よりも高いチャネル品質を有する、１つもしくは複数のビームのいずれかを端末デバイスに関連付けることができる。
【００１５】
もう１つの実施形態において、複数のビームは、基地局および少なくとも１つのその他の基地局から発信されてもよい。この実施形態において、設定されたアソシエーションは、基地局からのビームの第１のサブセットおよび少なくとも１つのその他の基地局からのビームの第２のサブセットを、端末デバイスに関連付けることができる。
【００１６】
さらなる実施形態において、第１のサブセットは、各々第１のあらかじめ定められたチャネル品質しきい値よりも高いチャネル品質を有する基地局からの１つまたは複数のビームを備えることができ、一方、第２のサブセットは、各々第２のあらかじめ定められたチャネル品質しきい値よりも高いチャネル品質を有する少なくとも１つのその他の基地局からの１つまたは複数のビームを備えることができる。
【００１７】
本開示の第３の態様において、端末デバイスにおいて無線リンク品質を監視するための装置が提供される。装置は、端末デバイスもしくはその一部、または端末デバイスからは独立した装置として具現されてもよい。端末デバイスは、少なくとも１つの基地局からの複数のビームのカバレッジ下にある。装置は、判定ユニットと、決定ユニットとを備える。判定ユニットは、複数のビームの中で端末デバイスに関連付けられているビームの各々について無線リンク品質を、そのビームに固有の参照信号に基づいて、判定するように設定される。決定ユニットは、判定された無線リンク品質に基づいて、端末デバイスに方向付けられている無線リンクの無線リンク品質を決定するように設定される。
【００１８】
本開示の第４の態様において、端末デバイスの無線リンク品質監視を容易にするための装置が提供される。装置は、基地局もしくはその一部、または基地局からは独立した装置として具現されてもよい。端末デバイスは、少なくとも基地局からの複数のビームのカバレッジ下にある。装置は、アソシエーション設定ユニットと、通知ユニットとを備える。アソシエーション設定ユニットは、複数のビームと端末デバイスとの間のアソシエーションを設定するように設定される。通知ユニットは、設定されたアソシエーションを端末デバイスに通知するように設定される。
【００１９】
本開示の第５の態様において、端末デバイスにおいて無線リンク品質を監視するための装置が提供される。装置は、端末デバイスもしくはその一部、または端末デバイスからは独立した装置として具現されてもよい。端末デバイスは、少なくとも１つの基地局からの複数のビームのカバレッジ下にある。装置は、プロセッサおよびメモリを備える。メモリは、プロセッサによって実行可能な命令を含み、それにより装置は本開示の第１の態様による方法を実行するように動作可能である。
【００２０】
本開示の第６の態様において、端末デバイスの無線リンク品質監視を容易にするための装置が提供される。装置は、基地局もしくはその一部、または基地局からは独立した装置として具現されてもよい。端末デバイスは、少なくとも基地局からの複数のビームのカバレッジ下にある。装置は、プロセッサおよびメモリを備える。メモリは、プロセッサによって実行可能な命令を含み、それにより装置は本開示の第２の態様による方法を実行するように動作可能である。
【００２１】
本開示の第７の態様において、端末デバイスにおいて無線リンク品質を監視するための装置が提供される。装置は、端末デバイスもしくはその一部、または端末デバイスからは独立した装置として具現されてもよい。端末デバイスは、少なくとも１つの基地局からの複数のビームのカバレッジ下にある。装置は、本開示の第１の態様による方法を実行するように適合された処理手段を備える。
【００２２】
本開示の第８の態様において、端末デバイスの無線リンク品質監視を容易にするための装置が提供される。装置は、基地局もしくはその一部、または基地局からは独立した装置として具現されてもよい。端末デバイスは、少なくとも基地局からの複数のビームのカバレッジ下にある。装置は、本開示の第２の態様による方法を実行するように適合された処理手段を備える。
【００２３】
本開示の第９の態様において、コンピュータプログラムが提供される。コンピュータプログラムは、少なくとも１つのプロセッサ上で実行されるとき、少なくとも１つのプロセッサに、本開示の第１の態様による方法を実施させる命令を備える。
【００２４】
本開示の第１０の態様において、コンピュータプログラムが提供される。コンピュータプログラムは、少なくとも１つのプロセッサ上で実行されるとき、少なくとも１つのプロセッサに、本開示の第２の態様による方法を実施させる命令を備える。
【００２５】
前述のさまざまな態様および実施形態によれば、複数のビームのカバレッジ下で端末デバイスにおいて無線リンク品質を監視するための効率的な解決策が提供される。この解決策に基づいて、無線リンク品質は、ビームレベルで端末デバイスにおいて監視されてもよい。したがって、端末デバイスの移動によって引き起こされ得る無線リンク障害の頻繁な指示またはレポートの可能性が低減され得るように、望ましいビームの判定された無線リンク品質を考慮して端末デバイスに方向付けられた無線リンクの無線リンク品質を決定することが可能である。無線リンク障害が発生すると直ちにＲＲＣ状態は変更される必要があり、接続再確立手順は開始される必要があるので、ＲＲＣ状態の頻繁な変更、および接続再確立手順の頻繁な開始は、この解決策により低減または回避され得る。
【００２６】
本開示のさまざまな実施形態の上記およびその他の態様、特徴、および利点は、ほんの一例として、添付の図面を参照して以下の詳細な説明を読むことで、さらに十分に明確なものとなろう。
【図面の簡単な説明】
【００２７】
【図１】ＵＥがマッシブビームによりサーブされる例を示す図である。
【図２】マクロ基地局ＢＳ１および複数のスモール基地局を備える例示のネットワークを示す図である。
【図３】本開示の実施形態による端末デバイスにおいて無線リンク品質を監視するための方法を示す流れ図である。
【図４】本開示の実施形態による端末デバイスにおいて無線リンク品質を監視するための方法の具体的な例を示す図である。
【図５】本開示の実施形態による端末デバイスの無線リンク品質監視を容易にするための方法を示す流れ図である。
【図６】本開示の実施形態による端末デバイスにおいて無線リンク品質を監視するための装置を示す概略ブロック図である。
【図７】本開示の実施形態による端末デバイスの無線リンク品質監視を容易にするための装置を示す概略ブロック図である。
【図８】本開示の実施形態による装置を示す概略ブロック図である。
【発明を実施するための形態】
【００２８】
さまざまな図面において類似する参照番号および記号表示は類似する要素を示す。
【００２９】
以下、本開示の原理および趣旨は、具体的な実施形態を参照して説明される。すべてのこれらの実施形態は、当業者が本開示をより深く理解してさらに実施できるようにするために提示されているにすぎず、本開示の範囲を限定するものではないことを理解されたい。たとえば、１つの実施形態の一部として例示されるかまたは説明される特徴は、さらなる実施形態を引き続きもたらすために別の実施形態と共に使用されてもよい。明確にするため、実際の実施態様のすべての特徴が、この明細書において説明されているわけではない。
【００３０】
本明細書において「実施形態（ｅｍｂｏｄｉｍｅｎｔ）」、「もう１つの実施形態（ａｎｏｔｈｅｒ  ｅｍｂｏｄｉｍｅｎｔ）」などの参照は、説明される実施形態が、特定の特徴、構造、または特性を含むことはできるが、すべての実施形態が必ずしも特定の特徴、構造、または特性を含むわけではないことを指示する。さらに、そのような語句は、必ずしも同一の実施形態を参照するものではない。さらに、特定の特徴、構造、または特性が実施形態に関連して説明される場合、明示的に説明されているかどうかにかかわりなく、その他の実施形態に関連してそのような特徴、構造、または特性を達成することは当業者の知るところであることが提示される。
【００３１】
本明細書においてさまざまな要素を説明するために「第１（ｆｉｒｓｔ）」および「第２（ｓｅｃｏｎｄ）」などの用語が使用されることがあるが、これらの要素は、これらの用語によって限定されるべきではないことを理解されたい。これらの用語は、ある要素を別の要素と区別するために使用されているにすぎない。たとえば、例示の実施形態の範囲を逸脱することなく、第１の要素は第２の要素と称されてもよく、同様に、第２の要素は第１の要素と称されてもよい。本明細書において使用されるように、「および／または（ａｎｄ／ｏｒ）」という用語は、関連する一覧された用語の１つまたは複数の任意の組合せおよびすべての組合せを含む。
【００３２】
本明細書において使用される用語は、特定の実施形態を説明することのみを目的としており、実施形態を限定することは意図されていない。本明細書に使用されるように、単数形「ａ」、「ａｎ」、および「ｔｈｅ」は、文脈が明確に別途指示する場合を除き、複数形も含むことが意図されている。さらに、「備える（ｃｏｍｐｒｉｓｅｓ）」、「備えている（ｃｏｍｐｒｉｓｉｎｇ）」、「有する（ｈａｓ）」、「有している（ｈａｖｉｎｇ）」、「含む（ｉｎｃｌｕｄｅｓ）」、および／または「含んでいる（ｉｎｃｌｕｄｉｎｇ）」という用語は、本明細書において使用されるとき、提示される特徴、要素、および／またはコンポーネントなどの存在を指定するが、１つもしくは複数のその他の特徴、要素、コンポーネント、および／またはその組合せの存在または追加を排除するものではないことを理解されたい。
【００３３】
以下の説明および特許請求の範囲において、他に規定のない限り、本明細書において使用されるすべての技術および科学用語は、この開示が属する技術分野の当業者によって一般に理解される意味と同じ意味を有する。たとえば、本明細書において使用される「基地局」（ＢＳ）という用語はまた、使用される技術および用語に応じて、ｅＮＢ、ｅＮｏｄｅＢ、ＮｏｄｅＢ、またはベーストランシーバ基地局（ＢＴＳ）などを示すことができる。同様に、本明細書において使用される「端末デバイス」またはＵＥという用語は、携帯電話、セルラー電話、スマートフォン、または携帯情報端末（ＰＤＡ）、ポータブルコンピュータ、デジタルカメラのようなイメージ取り込みデバイス、ゲームデバイス、音楽ストレージおよび再生アプライアンス、ワイヤレス通信能力を有する任意のポータブルユニットもしくは端末、またはワイヤレスインターネットアクセスおよびブラウジングなどを可能にするインターネットアプライアンスを、非限定的に含むワイヤレス通信能力を有する任意の端末を示すことができる。これ以降、「端末デバイス」および「ＵＥ」という用語は、同義的に使用される。
【００３４】
次世代以降のセルラー通信システムにおいて、膨大数の要素を備える高機能アンテナ（マッシブ多入力多出力（ＭＩＭＯ）として知られる）は、システムにおいてマッシブビームを生成するために使用され得る。図１は、ＵＥがマッシブビームによりサーブされる例を示す。
【００３５】
加えて、次世代以降のセルラー通信システムは、送信におけるエネルギー消費の大幅な低減を必要とするが、これは場合により「ウルトラリーン送信」と称される。ウルトラリーン送信は、結果として低運用コストをもたらすエネルギー効率の高いネットワークを導くことにとどまらず、ネットワーク内の全体的干渉レベルを低減することもできる。それ以外の場合にはエンドユーザパフォーマンスは低−中間ロードにおいて干渉により制限されることになるので、これは極めて高密度なローカルエリア配備にとって重要なイネーブラーである。残余セル間干渉およびエネルギー消費を回避するために、静的参照信号およびチャネルを伴う「常時接続の（ａｌｗａｙｓ−ｏｎ）」送信は、ウルトラリーン送信にはもはや必要ではなくなる。
【００３６】
次世代以降の通信システムにおける「常時接続の」参照信号がない場合、マッシブビームを伴う送信をサポートするために、自己完結型の送信は、ビーム固有およびＵＥ固有の参照信号で満たされる必要がある。したがって、基本システム情報送信の無線リンクを監視するため、ＲＬＭはまたビーム固有であってもよい。これは、現在のＬＴＥ仕様の単純な拡張であってもよい。しかし、マッシブＭＩＭＯを伴うマッシブ狭ビームが原因となり、ＵＥが通常どおりに移動する場合、無線リンク品質は、ＯＯＳおよびＩＳが非常に頻繁に交換されるように、安定しなくなる。
【００３７】
さらに、ＯＯＳおよびＩＳの交換に伴ってシステム状態への深刻な作用がある。ＵＥに方向付けられている無線リンクが、背景技術のセクションにおいて言及されているように無線リンク品質の推定に基づいて障害と判定される場合、ＵＥは、ＲＲＣ状態を変更して、ＲＲＣ＿ＣＯＮＮＥＣＴＥＤを終了する際にアクションを実行する、および／または接続再確立手順を開始する必要がある。頻繁な交換は、ＵＥに、ＲＲＣ状態変更および／または再確立手順を頻繁に実行させることになり、これは明らかに望ましいことではない。
【００３８】
前述の問題の一部を解決するために、本開示の実施形態は、複数のビームのカバレッジ下で端末デバイスにおいて無線リンク品質を監視するための新しい解決策を提案し、その詳細は図２から図８を参照して説明される。
【００３９】
図２は、マクロ基地局ＢＳ１および複数のスモール基地局、たとえばＢＳ２およびＢＳ３を備える例示のネットワークを示す。示されているように、端末デバイスＵＥ１は、マクロ基地局ＢＳ１およびスモール基地局ＢＳ２からの複数のビーム０−９のカバレッジ下にあり、マクロ基地局ＢＳ１は、端末デバイスＵＥ１の制御およびモビリティに主として責任を負うアンカー基地局としてサーブする。当業者であれば、アンカー基地局がマクロ基地局に限定されないこと、およびスモール基地局もまた、端末デバイスＵＥ１に対してアンカー基地局としてサーブできることを理解されたい。例示のため、本開示のいくつかの実施形態の概念および原理は、主に図２に示されるネットワークにおいて説明される。しかし、当業者であれば、本開示のいくつかの実施形態の概念および原理は、ネットワークが複数のビームとの通信を伴う限りにおいて、複数のビームがどこから生じていようと、その他の無線ネットワークにさらに一般的に適用可能であってもよいことを理解するであろう。
【００４０】
図３は、本開示の実施形態による端末デバイスにおいて無線リンク品質を監視するための方法３００を示す流れ図である。端末デバイス、たとえば図２のＵＥ１は、少なくとも１つの基地局、たとえば図２のＢＳ１およびＢＳ２からの複数のビームのカバレッジ下にある。
【００４１】
方法はブロック３１０から入り、ここで無線リンク品質は、端末デバイスに関連付けられている１つまたは複数のビームの各々について、そのビームに固有の参照信号に基づいて判定される。端末デバイスに関連付けられている１つまたは複数のビームは、複数のビームの一部または全部であってもよい。次いで、ブロック３２０において、端末デバイスに方向付けられた無線リンクの無線リンク品質は、判定された無線リンク品質に基づいて決定される。
【００４２】
方法３００に照らして、無線リンク障害の決定が単一のサービングビームに基づき、無線リンク障害が現在のサービングビームに障害が生じるとその無線リンクについて無線リンク障害がレポートされる場合と比較して、端末デバイスの移動によって引き起こされ得る無線リンク障害の頻繁な指示またはレポートの可能性が低減され得るように、望ましいビームの判定された無線リンク品質を考慮して端末デバイスに方向付けられた無線リンクの無線リンク品質を決定することが可能である。したがって、ＲＲＣ状態が変更される頻度は低くなり得るので、接続再確立手順が開始される頻度も低くなり得る。
【００４３】
特に、ビームに関連付けられている任意の参照信号は、無線リンク品質を判定するためにそのビームに固有の参照信号として使用されてもよい。たとえば、ビームに固有の参照信号は、測定のために使用される測定固有参照信号（ＭＲＳ）、データ復調のために使用される復調用参照信号（ＤＭＲＳ）、任意のその他の物理参照信号、または参照信号の任意の組合せのいずれかを備えることができる。
【００４４】
複数のビームがすべて１つの基地局、たとえばアンカー基地局からのものである実施形態において、端末デバイスに関連付けられているビームは、たとえば、このアンカー基地局からのすべてのビームを備えることができる。このアソシエーションは、基地局の間の端末デバイスの頻繁な交換を回避して、上位レイヤのハンドオーバ手順の頻繁なトリガーを回避することができる。もう１つの例では、端末デバイスに関連付けられているビームは、アンカー基地局からのすべてのビームの中の、各々あらかじめ定められたチャネル品質しきい値よりも高いチャネル品質を有する、１つまたは複数のビームを備えることができる。このアソシエーションは、端末デバイスによって監視されるビームの数を相対的に減らし、ひいては端末デバイスの実施態様の複雑さを低減することができる。
【００４５】
一例として、複数のビームが、たとえば図２に示されるマクロ基地局のようなアンカー基地局、およびたとえば図２に示されるスモール基地局ＢＳ２のような少なくとも１つのその他の基地局の両方からのものである実施形態において、端末デバイスに関連付けられているビームは、たとえば図２に示されるビーム０−９のような複数のビームのすべてを備えることができる。もう１つの例として、端末デバイスに関連付けられているビームは、複数のビームの中の、各々あらかじめ定められたチャネル品質しきい値よりも高いチャネル品質を有する、１つまたは複数のビームを備えることができる。さらなる例として、端末デバイスに関連付けられているビームは、アンカー基地局からのビームの第１のサブセットおよび少なくとも１つのその他の基地局からのビームの第２のサブセットを備えることができる。最後の例において、第１のサブセットに含まれるビームの各々は、第１のあらかじめ定められたチャネル品質しきい値よりも高いチャネル品質を有することができ、一方第２のサブセットに含まれるビームの各々は、第２のあらかじめ定められたチャネル品質しきい値よりも高いチャネル品質を有することができる。この実施形態において、アンカー基地局のカバレッジエリアは、少なくともその他の基地局の一部がそのカバレッジのセルエッジに位置している場合に拡張されてもよい。
【００４６】
本開示の一部の実施形態によれば、ビームおよび端末デバイスのアソシエーションは、アンカー基地局によって、たとえば端末デバイスによってレポートされた測定に基づいて設定されてもよいか、または仕様において事前規定済みであってもよい。
【００４７】
図４は、本開示の実施形態による端末デバイスにおいて無線リンク品質を監視するための方法３００の具体的な例を示す図であり、ブロック３１１−３１９およびその他の並列のブロックは、図３のブロック３１０の操作に対応し、ブロック３２１−３２３は、図３のブロック３２０の操作に対応する。
【００４８】
図４において端末デバイスに関連付けられているＭ個のビームがあると仮定すると、関連付けられている各々のビームについて無線リンク品質を判定する詳細な操作は、一例として、ビーム＃１に関して説明される。その他のビーム、すなわち＃２−＃Ｍについて無線リンク品質を判定する操作は同じであり、したがって繰り返すことはしない。
【００４９】
ビーム＃１に関しては、第１のパフォーマンスパラメータの値は、そのビーム（ビーム＃１）に固有の参照信号の測定に基づいてブロック３１１において推定されてもよい。第１のパフォーマンスパラメータ値のこの推定は、第１の物理チャネルの仮定的フォーマット、すなわち送信パラメータに基づいて実行されてもよい。さらに、第２のパフォーマンスパラメータの値はまた、そのビームに固有の参照信号の測定に基づいてブロック３１１において推定されてもよい。第２のパフォーマンスパラメータ値のこの推定は、第２の物理チャネルの仮定的フォーマット、すなわち送信パラメータに基づいて実行されてもよい。さまざまな実施形態において、第１および第２の物理チャネルの仮定的フォーマットは、同一であっても異なっていてもよい。第１および第２のパフォーマンスパラメータは、たとえばＢＬＥＲまたは対応する物理チャネルの信号対雑音比のように、同じであってもよい。第１および第２の物理チャネルの仮定的フォーマットが同じであり、第１および第２のパフォーマンスパラメータもまた同じである実施形態において、１つのパフォーマンスパラメータ値のみが実際に推定される。当業者であれば、上記の推定を行なうための特定の方法が当技術分野および実施関連分野においてよく知られており、したがって簡潔にするために本明細書において詳細に説明されないことを理解されたい。
【００５０】
続いて、ブロック３１２において、第１のパフォーマンスパラメータの推定された値が第１のしきい値よりも大きい場合、第１の指示が生成されてもよい。パフォーマンスパラメータがＢＬＥＲである例において、第１のしきい値は、３ＧＰＰ  ＴＳ３６．１３３  Ｖ１２．５．０の表７．６．１−１に指定されている送信パラメータとのＰＣＦＩＣＨエラーを考慮に入れて仮定的ＰＤＣＣＨ送信の１０％として設定されてもよい。この例において、推定されたＢＬＥＲ値が１０％よりも大きい場合、ＯＯＳ指示と称されてもよい、ＯＯＳを指示する第１の指示が生成される。
【００５１】
それに対して、ブロック３１３において、第２のパフォーマンスパラメータの推定された値が第２のしきい値よりも小さい場合、第２の指示が生成されてもよい。パフォーマンスパラメータがＢＬＥＲである例において、第１のしきい値は、３ＧＰＰ  ＴＳ３６．１３３  Ｖ１２．５．０の表７．６．１−２に指定されている送信パラメータとのＰＣＦＩＣＨエラーを考慮に入れて仮定的ＰＤＣＣＨ送信の２％として設定されてもよい。この例において、推定されたＢＬＥＲ値が２％よりも小さい場合、ＩＳ指示と称されてもよい、ＩＳを指示する第２の指示が生成される。
【００５２】
次いで、第１の指示および第２の指示に基づいて、ビーム＃１の無線リンク品質が判定されてもよい。
【００５３】
１つの例において、第１のあらかじめ定められた数の連続するＯＯＳ指示が生成されるとき、ブロック３１７において、あらかじめ定められた時間期間のタイミングをとるためのタイマーが開始されてもよい。
【００５４】
その後、ブロック３１８において、第２のあらかじめ定められた数の連続するＩＳ指示が、このあらかじめ定められた時間期間中、すなわちタイマーが満了する前に、生成される場合、ビーム＃１の無線リンクは保持され、それ以外の場合、ブロック３１９においてビーム＃１の無線リンク品質は、障害と判定される。
【００５５】
同様に、端末デバイスに関連付けられているその他のビーム＃２−＃Ｍの各々について、ブロック３１１−３１９における操作が実行される。次いで、関連付けられているビームの判定された無線リンク品質に基づいて、端末デバイスに方向付けられた無線リンクは、ブロック３２１において判定されてもよい。
【００５６】
一例として、端末デバイスの関連付けられているビームの各々の無線リンクが障害と判定される場合、ブロック３２２において、端末デバイスに方向付けられている無線リンクは障害と決定され、それ以外の場合、ブロック３２３において、端末デバイスに方向付けられている無線リンクは保持される。この例において、無線リンク品質は、無線リンク障害の決定が単一のサービングビームに基づく場合と比較して、無線リンク障害があまり頻繁に指示またはレポートされないように、すべての関連付けられているビームに関して決定される。したがって、ＲＲＣ状態変更または接続再確立手順が開始される頻度も低くなり得る。
【００５７】
もう１つの例として、ブロック３２１における判定は、関連付けられているビームから選択された１つまたは複数のビームの判定された無線リンク品質に基づいてもよい。この例において、最善の無線リンク品質を有するビーム、たとえば以前推定されたＢＬＥＲが特定のしきい値よりも小さいビームが、選択されてもよい。選択されたビームの各々の無線リンクが障害と判定される場合、ブロック３２２において、端末デバイスに方向付けられている無線リンクは障害と決定され、それ以外の場合、ブロック３２３において、端末デバイスに方向付けられている無線リンクは保持される。そのような例において、無線リンク品質は、一方で、無線リンク障害の決定が単一のサービングビームに基づく場合と比較して、無線リンク障害があまり頻繁に指示またはレポートされないように、他方では、端末デバイスによって監視されるビームの数が低減され得ることで、端末デバイスの実施態様の複雑さが軽減され得るように、最善の無線リンク品質を有するビームに関して決定される。
【００５８】
図５は、本開示の実施形態による端末デバイスの無線リンク品質監視を容易にするための方法５００を示す流れ図である。方法５００は、基地局、たとえばアンカー基地局において実行され、端末デバイスは、少なくとも基地局から生じる複数のビームのカバレッジ下にある。
【００５９】
方法５００において示されるように、最初に、ブロック５１０において、複数のビームと端末デバイスとの間のアソシエーションが、基地局において設定される。
【００６０】
実施形態において、設定されたアソシエーションは、すべての複数のビームを端末デバイスと関連付けることができる。このアソシエーションは、基地局の間の端末デバイスの頻繁な交換を回避して、上位レイヤのハンドオーバ手順の頻繁なトリガーを回避することができる。
【００６１】
もう１つの実施形態において、設定されたアソシエーションは、複数のビームの中の、各々あらかじめ定められたチャネル品質しきい値よりも高いチャネル品質を有する、１つまたは複数のビームを端末デバイスに関連付けることができる。このアソシエーションは、端末デバイスによって監視されるビームの数を相対的に減らし、ひいては端末デバイスの実施態様の複雑さを低減することができる。これらの実施形態において、複数のビームは、基地局のみから、または基地局および少なくとも１つのその他の基地局の両方からのものであってもよい（たとえば図２に示される事例である）。
【００６２】
複数のビームが基地局および少なくとも１つのその他の基地局の両方から発信される実施形態において、アソシエーションによって設定され関連付けられているビームは、基地局からのビームの第１のサブセットおよび少なくとも１つのその他の基地局からのビームの第２のサブセットを備えることができる。さらなる実施形態において、第１のサブセットは、各々第１のあらかじめ定められたチャネル品質しきい値よりも高いチャネル品質を有する基地局からの１つまたは複数のビームを備えることができ、一方第２のサブセットは、各々第２のあらかじめ定められたチャネル品質しきい値よりも高いチャネル品質を有するその他の基地局からの１つまたは複数のビームを備えることができる。
【００６３】
続いて、設定されたアソシエーションは、ブロック５２０において、端末デバイスに通知される。一例として、設定されたアソシエーションは、下位レイヤシグナリングおよび／または上位レイヤシグナリングを介して通知されてもよい。もう１つの例として、アソシエーションは、端末デバイスによってレポートされた測定に従って動的に変更されてもよい。この例において、設定されたアソシエーションは、定期的に通知されてもよいか、または変更されるごとに通知されてもよい。
【００６４】
方法５００に基づいて、１つまたは複数の基地局からのビームは、端末デバイスが、単一のサービングビームではなく望ましいビームに関してそのデバイスに方向付けられている無線リンクの無線リンク品質を決定することができるように端末デバイスに適切に関連付けられてもよい。したがって、端末デバイスの移動によって引き起こされ得る無線リンク障害の頻繁な指示またはレポートの可能性が低減され得る。ＲＲＣ状態が変更される頻度はより低くなり得るので、接続再確立手順が開始される頻度も低くなり得る。
【００６５】
図６は、本開示の実施形態による端末デバイスにおいて無線リンク品質を監視するための装置６００を示す概略ブロック図である。端末デバイスは、少なくとも１つの基地局からの複数のビームのカバレッジ下にある。装置６００は、端末デバイスもしくはその一部、または端末デバイスからは独立した装置として具現されてもよい。
【００６６】
特に、図６に示されているように、装置６００は、判定ユニット６１０と、決定ユニット６２０とを備える。判定ユニット６１０は、端末デバイスに関連付けられている１つまたは複数のビームの各々について、無線リンク品質を、そのビームに固有の参照信号に基づいて判定するように設定される。端末デバイスに関連付けられている１つまたは複数のビームは、複数のビームの一部または全部であってもよい。決定ユニット６２０は、判定された無線リンク品質に基づいて、端末デバイスに方向付けられている無線リンクの無線リンク品質を決定するように設定される。
【００６７】
実施形態において、決定ユニット６２０は、関連付けられているビームの各々について無線リンク品質が障害と判定されるか、または関連付けられているビームから選択された１つもしくは複数のビームについて無線リンク品質が障害と判定される場合に、無線リンクの無線リンク品質を障害として決定するように設定されてもよい。
【００６８】
もう１つの実施形態において、判定ユニット６１０は、関連付けられているビームの各々について、そのビームに固有の参照信号の測定に基づいて第１のパフォーマンスパラメータの値を推定し、第１のパフォーマンスパラメータの推定された値が第１のしきい値よりも大きい場合、第１の指示を生成し、そのビームに固有の参照信号の測定に基づいて第２のパフォーマンスパラメータの値を推定し、第２のパフォーマンスパラメータの推定された値が第２のしきい値よりも小さい場合、第２の指示を生成し、次いで生成された第１および第２の指示に基づいてそのビームの無線リンク品質を判定するようにさらに設定されてもよい。
【００６９】
上記のユニット６１０および６２０は、図３および図４を参照して説明される対応する操作またはステップを実施するように設定されてもよく、したがって簡潔にするために本明細書においては詳細に説明されない。
【００７０】
図７は、本開示の実施形態による端末デバイスの無線リンク品質監視を容易にするための装置７００を示す概略ブロック図である。端末デバイスは、少なくとも１つの基地局からの複数のビームのカバレッジ下にある。装置７００は、基地局もしくはその一部、または基地局からは独立した装置、または別のデバイスの一部として具現されてもよい。
【００７１】
特に、図７に示されているように、装置７００は、アソシエーション設定７１０ユニットと、通知ユニット７２０とを備える。アソシエーション設定ユニット７１０は、複数のビームと端末デバイスとの間のアソシエーションを設定するように設定される。通知ユニット７２０は、設定されたアソシエーションを端末デバイスに通知するように設定される。
【００７２】
実施形態において、アソシエーション設定ユニット７１０によって設定され関連付けられているビームは、すべての複数のビームを備えることができる。もう１つの実施形態において、アソシエーション設定ユニット７１０によって設定され関連付けられているビームは、複数のビームの中の、各々あらかじめ定められたチャネル品質しきい値よりも高いチャネル品質を有する、１つまたは複数のビームを備えることができる。
【００７３】
たとえば図２に示される場合のように、複数のビームが基地局および少なくとも１つのその他の基地局の両方から発信される実施形態において、アソシエーション設定ユニット７１０によって設定され関連付けられているビームは、基地局からのビームの第１のサブセットおよび少なくとも１つのその他の基地局からのビームの第２のサブセットを備えることができる。さらなる実施形態において、第１のサブセットは、各々第１のあらかじめ定められたチャネル品質しきい値よりも高いチャネル品質を有する基地局からの１つまたは複数のビームを備えることができ、一方第２のサブセットは、各々第２のあらかじめ定められたチャネル品質しきい値よりも高いチャネル品質を有するその他の基地局からの１つまたは複数のビームを備えることができる。
【００７４】
一例として、設定されたアソシエーションは、下位レイヤシグナリングおよび／または上位レイヤシグナリングを介して、通知ユニット７２０によって端末デバイスに通知されてもよい。もう１つの例として、アソシエーションは、端末デバイスによってレポートされた測定に従って動的に変更されてもよい。この例において、設定されたアソシエーションは、定期的に通知されてもよいか、または通知ユニット７２０により変更されるごとに通知されてもよい。
【００７５】
上記のユニット７１０および７２０は、図５を参照して説明される対応する操作またはステップを実施するように設定されてもよく、したがって簡潔にするために本明細書においては詳細に説明されない。
【００７６】
図８は、本開示の実施形態による装置８００を示す概略ブロック図である。装置８００は、端末デバイスもしくはその一部、たとえば図２に示されるＵＥ１、または端末デバイスからは独立した装置として具現されてもよい。装置８００はまた、基地局もしくはその一部、たとえば図２に示されるＢＳ１、または基地局からは独立した装置として具現されてもよい。
【００７７】
装置８００は、データプロセッサ（ＤＰ）のような少なくとも１つのプロセッサ８１０、およびプロセッサ８１０に結合された少なくとも１つのメモリ（ＭＥＭ）８２０を備える。装置８００は、その他の装置とのワイヤレス通信を確立するためにプロセッサ８１０に結合された送信機ＴＸおよび受信機ＲＸ８３０をさらに備えることができる。ＭＥＭ８２０は、プログラム（ＰＲＯＧ）８４０を格納する。装置８００が端末デバイスまたはその一部として具現される場合、ＰＲＯＧ８４０は、関連付けられているプロセッサ８１０上で実行されるとき、装置８００が、図３および図４を参照して上記で説明される本開示の実施形態に従って動作できるようにする、たとえば方法３００を実行できるようにする命令を含むことができる。装置８００が基地局またはその一部として具現される場合、ＰＲＯＧ８４０は、関連付けられているプロセッサ８１０上で実行されるとき、装置８００が、図５を参照して上記で説明される本開示の実施形態に従って動作できるようにする、たとえば方法５００を実行できるようにする命令を含むことができる。
【００７８】
少なくとも１つのプロセッサ８１０および少なくとも１つのＭＥＭ８２０の組合せは、処理手段８５０を形成することができる。装置８００が端末デバイスまたはその一部として具現される場合、処理手段８５０は、図３および図４を参照して上記で説明される本開示の実施形態を実施するように適合されてもよく、装置８００が基地局またはその一部として具現される場合、処理手段８５０は、図５を参照して上記で説明される本開示の実施形態を実施するように適合されてもよい。
【００７９】
ＭＥＭ８２０は、ローカルの技術環境に適切な任意のタイプであってもよく、非限定的な例として、半導体ベースのメモリデバイス、磁気メモリデバイスおよびシステム、光学メモリデバイスおよびシステム、固定式メモリおよび取り外し可能メモリのような、任意の適切なデータストレージ技術を使用して実施されてもよい。
【００８０】
プロセッサ８１０は、ローカルの技術環境に適切な任意のタイプであってもよく、非限定的な例として、汎用コンピュータ、特殊用途コンピュータ、マイクロプロセッサ、デジタル信号プロセッサＤＳＰ、およびマルチコアプロセッサアーキテクチャに基づくプロセッサの１つまたは複数を含むことができる。
【００８１】
加えて、本開示はまた、前述のようにコンピュータプログラムを含むキャリアを提供することができ、キャリアは、電子信号、光信号、無線信号、またはコンピュータ可読ストレージ媒体のうちの１つである。コンピュータ可読ストレージ媒体は、たとえば、ＲＡＭ（ランダムアクセスメモリ）、ＲＯＭ（読取り専用メモリ）、フラッシュメモリ、磁気テープ、ＣＤ−ＲＯＭ、ＤＶＤ、ブルーレイディスクなどのような、光コンパクトディスクまたは電子メモリデバイスであってもよい。
【００８２】
本明細書において説明される技法は、実施形態により説明される対応する装置の１つまたは複数の機能を実施する装置が、従来技術の手段のみならず、実施形態により説明される対応する装置の１つまたは複数の機能を実施するための手段も備え、装置が別個の機能ごとに別個の手段、または２つ以上の機能を実行するように設定され得る手段を備えることができるように、さまざまな手段によって実施されてもよい。たとえば、これらの技法は、ハードウェア（１つまたは複数の装置）、ファームウェア（１つまたは複数の装置）、ソフトウェア（１つまたは複数のモジュール）、またはその組合せにおいて実施されてもよい。ファームウェアまたはソフトウェアについては、実施態様は、本明細書において説明される機能を実行するモジュール（たとえば、プロシージャ、関数など）を介して行なわれてもよい。
【００８３】
本明細書における例示的な実施形態は、方法および装置のブロック図および流れ図の図解を参照して上記で説明されてきた。ブロック図の各ブロックおよび流れ図の説明、ならびにブロック図のブロックおよび流れ図の説明の組合せが、それぞれ、コンピュータプログラム命令を含むさまざまな手段によって実施され得ることが理解されよう。これらのコンピュータプログラム命令は、コンピュータまたはその他のプログラマブルデータ処理装置上で実行する命令が、単一または複数の流れ図のブロックにおいて指定される機能を実施するための手段を作成するように、汎用コンピュータ、特殊用途コンピュータ、またはその他のプログラマブルデータ処理装置にロードされてマシンを生成することができる。
【００８４】
本明細書は多くの固有の実施態様の詳細を含むが、これらは任意の実施態様または特許請求され得るものの範囲を限定するものとして解釈されるべきではなく、特定の実施態様の特定の実施形態に固有となり得る特徴の説明として解釈されるべきである。別個の実施形態のコンテキストで本明細書において説明される特定の特徴はまた、単一の実施形態において組み合わせて実施されてもよい。逆に、単一の実施形態のコンテキストで説明されるさまざまな特徴はまた、別個に、または任意の適切な部分的組合せで複数の実施形態において実施されてもよい。さらに、特徴が特定の組合せにおいて動作するものと上記で説明され、さらにはそのようなものとして最初に特許請求されていることがあるが、特許請求される組合せからの１つまたは複数の特徴は、場合によっては組合せから削除されてもよく、特許請求される組合せは、部分的組合せまたは部分的組合せの変形に向けられてもよい。
【００８５】
技術が進歩するにつれ、本発明の概念はさまざまな方法で実施され得ることが、当業者には明らかとなろう。前述の実施形態は、本開示を限定するものではなく説明のために示されており、当業者が容易に理解するように、本開示の趣旨および範囲を逸脱することなく変更および変形が用いられてもよいことを理解されたい。そのような変更および変形は、本開示および添付の特許請求の範囲内に含まれるものと見なされる。本開示の保護範囲は、添付の特許請求の範囲によって規定される。
【図１】
2018518091.tif 000003
【図２】
2018518091.tif 000004
【図３】
2018518091.tif 000005
【図４】
2018518091.tif 000006
【図５】
2018518091.tif 000007
【図６】
2018518091.tif 000008
【図７】
2018518091.tif 000009
【図８】
2018518091.tif 000010
【国際調査報告】
2018518091.tif 000011
2018518091.tif 000012